(57)【要約】 【課題】光源装置を見る角度によって光学シート上に暗く見える部分が発生してしまうことを抑制する。【解決手段】光源装置は、導光板と、光学シートと、フレームとを備え、複数の光学シートのうち、導光板から、最も離れた位置に配置された光学シートは、当該光学シートの一面上に互いに平行に延びた多数のプリズムが形成されるとともに、当該光学シートの周縁に前記フレームに係合される突出片が一つ以上、当該周縁に対して突出する形状で一体的に形成されたプリズムシートであり、一つ以上の突出片のうち隣接する一対の辺の角度が９０度以下に設定されており、一対の辺を延伸させて形成された交点を通過し且つプリズムの稜線に平行な直線又は直交する直線のうち、一対の辺に挟まれた領域を通る一方の直線と一対の辺のそれぞれとで形成された二つの角度が４５度以下に設定されている。【選択図】図５
2011138710.tif 000002
【特許請求の範囲】
【請求項１】
導光板と、
前記導光板の光射出面上に重ねられた複数の光学シートと、
前記導光板及び前記複数の光学シートを収容するフレームとを備え、
前記複数の光学シートのうち、前記導光板から、最も離れた位置に配置された光学シートは、当該光学シートの一面上に互いに平行に延びた多数のプリズムが形成されるとともに、当該光学シートの周縁に前記フレームに係合される突出片が一つ以上、当該周縁に対して突出する形状で一体的に形成されたプリズムシートであり、
前記プリズムシートは、前記一つ以上の突出片のうち一つの突出片に隣接する一対の辺の角度が９０度以下に設定されており、
前記一対の辺を延伸させて形成された交点を通過し且つ前記プリズムの稜線に平行な直線又は直交する直線のうち、前記一対の辺に挟まれた領域を通る一方の直線と前記一対の辺のそれぞれとで形成された二つの角度が４５度以下に設定されていることを特徴とする光源装置。
【請求項２】
導光板と、
前記導光板の光射出面上に重ねられた複数の光学シートと、
前記導光板及び前記複数の光学シートを収容するフレームとを備え、
前記複数の光学シートのうち、最も前記導光板から離れた位置に配置される光学シートは、当該光学シートの一面上に互いに平行に延びた多数のプリズムが形成されるとともに、当該光学シートの周縁に、前記フレームに係合される複数の突出片が当該周縁に対して突出する形状で一体的に形成されたプリズムシートであり、
前記プリズムシートは、前記複数の突出片のそれぞれに隣接する一対の辺の角度が９０度以下に設定されており、
前記一対の辺を延伸させて形成された交点を通過し且つ前記プリズムの稜線に平行な直線又は直交する直線のうち、前記一対の辺に挟まれた領域を通る前記一方の直線と前記一対の辺のそれぞれとで形成された二つの角度が、前記複数の突出片の全てに対して４５度以下に設定されていることを特徴とする光源装置。
【請求項３】
請求項１又は２記載の光源装置において、
前記プリズムは、前記二つの角度が前記一対の辺がなす角度の半分の角度となるように配置されていることを特徴とする光源装置。
【請求項４】
請求項３記載の光源装置において、
前記プリズムシートは略矩形状であり、前記プリズムは、前記二つの角度が４５度となるように配置されていることを特徴とする光源装置。
【請求項５】
請求項１〜４のいずれか一項に記載の光源装置において、
前記突出片は、前記プリズムシートの対角線上に配置された一対の角部のそれぞれに形成されていることを特徴とする光源装置。
【請求項６】
請求項１〜４のいずれか一項に記載の光源装置において、
前記突出片は、前記プリズムシートの一辺にのみ形成されていることを特徴とする光源装置。
【請求項７】
請求項１〜５のいずれか一項に記載の光源装置において、
前記突出片は、前記プリズムシートの角部にのみ形成されていることを特徴とする光源装置。
【請求項８】
請求項１〜７のいずれか一項に記載の光源装置において、
前記突出片は、前記一対の辺の各延長線上に重ならない少なくとも二つの角部を有することを特徴とする光源装置。
【請求項９】
請求項１記載の光源装置と、
前記光源装置の複数の光学シート上に配置される液晶表示パネルとを備え、
前記一つ以上の突出片のうち一つの突出片は、前記一対の辺にそれぞれ沿って平行移動させた場合に前記液晶表示パネルの表示領域内に進入しない位置に配置されていることを特徴とする表示装置。
【請求項１０】
請求項２記載の光源装置と、
前記光源装置の複数の光学シート上に配置される液晶表示パネルとを備え、
前記複数の突出片は、それぞれ隣接する前記一対の辺にそれぞれ沿って平行移動させた場合に前記液晶表示パネルの表示領域内に進入しない位置に配置されていることを特徴とする表示装置。
【請求項１１】
請求項９又は１０記載の表示装置において、
前記液晶表示パネルは、マトリクス状に配列された多数の画素を有し、
前記画素の行方向若しくは列方向に対して、前記プリズムの稜線の方向が４５度となるように前記プリズムシートは配置されていることを特徴とする表示装置。
【発明の詳細な説明】
【技術分野】
【０００１】
本発明は、光源装置及び表示装置に関する。
【背景技術】
【０００２】
従来、例えば液晶表示装置においては、表示パネルの背面側に光源装置が配置されている。この光源装置には、光源と、光源からの光を面状に照射するための導光板と、導光板を通過した光の照射方向を整える複数の光学シートと、これらを収容するフレームとが設けられている。
光学シートには、それぞれ位置決め用の突出片が延在しており、この突出片がフレームに設けられた係合凹部に重ねられるように配置されることで光学シート自体の位置決めが行われるようになっている。
【先行技術文献】
【特許文献】
【０００３】
【特許文献１】特開２００５−１６６３３６号公報
【発明の概要】
【発明が解決しようとする課題】
【０００４】
ここで、光学シートの突出片はフレームに設けられた係合凹部に重ねられるように配置されるため、当該フレームによって導光板から突出片に照射される光が遮られてしまい、光源装置を見る角度によっては光学シート上に暗く見える部分が発生してしまうことがあった。
本発明の課題は、光源装置を見る角度によって光学シート上に暗く見える部分が発生してしまうことを抑制することである。
【課題を解決するための手段】
【０００５】
以上の課題を解決するため、本発明の一の態様によれば、
導光板と、
前記導光板の光射出面上に重ねられた複数の光学シートと、
前記導光板及び前記複数の光学シートを収容するフレームとを備え、
前記複数の光学シートのうち、前記導光板から、最も離れた位置に配置された光学シートは、当該光学シートの一面上に互いに平行に延びた多数のプリズムが形成されるとともに、当該光学シートの周縁に前記フレームに係合される突出片が一つ以上、当該周縁に対して突出する形状で一体的に形成されたプリズムシートであり、
前記プリズムシートは、前記一つ以上の突出片のうち一つの突出片に隣接する一対の辺の角度が９０度以下に設定されており、
前記一対の辺を延伸させて形成された交点を通過し且つ前記プリズムの稜線に平行な直線又は直交する直線のうち、前記一対の辺に挟まれた領域を通る一方の直線と前記一対の辺のそれぞれとで形成された二つの角度が４５度以下に設定されていることを特徴とする光源装置が提供される。
【０００６】
また、本発明の他の態様によれば、
導光板と、
前記導光板の光射出面上に重ねられた複数の光学シートと、
前記導光板及び前記複数の光学シートを収容するフレームとを備え、
前記複数の光学シートのうち、最も前記導光板から離れた位置に配置される光学シートは、当該光学シートの一面上に互いに平行に延びた多数のプリズムが形成されるとともに、当該光学シートの周縁に、前記フレームに係合される複数の突出片が当該周縁に対して突出する形状で一体的に形成されたプリズムシートであり、
前記プリズムシートは、前記複数の突出片のそれぞれに隣接する一対の辺の角度が９０度以下に設定されており、
前記一対の辺を延伸させて形成された交点を通過し且つ前記プリズムの稜線に平行な直線又は直交する直線のうち、前記一対の辺に挟まれた領域を通る前記一方の直線と前記一対の辺のそれぞれとで形成された二つの角度が、前記複数の突出片の全てに対して４５度以下に設定されていることを特徴とする光源装置が提供される。
【０００７】
上記光源装置において好ましくは、前記プリズムは、前記二つの角度が前記一対の辺がなす角度の半分の角度となるように配置されている。
上記光源装置において好ましくは、前記プリズムシートは略矩形状であり、前記プリズムは、前記二つの角度が４５度となるように配置されている。
上記光源装置において好ましくは、前記突出片は、前記プリズムシートの対角線上に配置された一対の角部のそれぞれに形成されている。
上記光源装置において好ましくは、前記突出片は、前記プリズムシートの一辺にのみ形成されている。
上記光源装置において好ましくは、前記突出片は、前記プリズムシートの角部にのみ形成されている。
上記光源装置において好ましくは、前記突出片は、前記一対の辺の各延長線上に重ならない少なくとも二つの角部を有する。
【０００８】
本発明の他の態様によれば、
上記光源装置と、
前記光源装置の複数の光学シート上に配置される液晶表示パネルとを備え、
前記一つ以上の突出片のうち一つの突出片は、前記一対の辺にそれぞれ沿って平行移動させた場合に前記液晶表示パネルの表示領域内に進入しない位置に配置されていることを特徴とする表示装置が提供される。
【０００９】
本発明の他の態様によれば、
上記光源装置と、
前記光源装置の複数の光学シート上に配置される液晶表示パネルとを備え、
前記複数の突出片は、それぞれ隣接する前記一対の辺にそれぞれ沿って平行移動させた場合に前記液晶表示パネルの表示領域内に進入しない位置に配置されていることを特徴とする表示装置が提供される。
【００１０】
上記表示装置において好ましくは、前記液晶表示パネルは、マトリクス状に配列された多数の画素を有し、
前記画素の行方向若しくは列方向に対して、前記プリズムの稜線の方向が４５度となるように前記プリズムシートは配置されている。
【発明の効果】
【００１１】
本発明によれば、光源装置を見る角度によって光学シート上に暗く見える部分が発生してしまうことを抑制することができる。
【図面の簡単な説明】
【００１２】
【図１】本実施形態の表示装置の全体構成を模式的に示した分解斜視図である。
【図２】図１の表示装置の概略構成を示す上面図である。
【図３】図１，図２におけるＩＩＩ−ＩＩＩ切断線から見た断面構成を示す断面図である。
【図４】図１，図２におけるＩＶ−ＩＶ切断線から見た断面構成を示す断面図である。
【図５】図１の表示装置に備わるプリズムシートの全体形状を示す上面図である。
【図６】図１の表示装置に備わるプリズムシートの全体形状を示す上面図である。
【図７】図１の表示装置に備わる拡散シートの全体形状を示す上面図である。
【図８】比較例である表示装置の概略構成を示す上面図である。
【図９】図５のプリズムシートの変形例を示す上面図である。
【発明を実施するための形態】
【００１３】
以下に、本発明を実施するための最良の形態について図面を用いて説明する。ただし、以下に述べる実施形態には、本発明を実施するために技術的に好ましい種々の限定が付されているが、発明の範囲を以下の実施形態及び図示例に限定するものではない。
【００１４】
図１は本実施形態の表示装置の全体構成を模式的に示した分解斜視図であり、図２は、表示装置の上面図、図３は図１，図２におけるＩＩＩ−ＩＩＩ切断線から見た断面構成を示す断面図、図４は図１，図２におけるＩＶ−ＩＶ切断線から見た断面構成を示す断面図である。これら図１〜図４に示すように、表示装置１００は光源装置１、液晶表示パネル２、ケース３等を備える。
【００１５】
ケース３は表示装置１００と液晶表示装置を支持する部材であり、上ケース３１と、下ケース３３とを有する。上ケース３１の天板３１ａには、矩形の表示用開口３１ｂが形成されている。下ケース３３には、光源装置１及び液晶表示パネル２が収納されていて、これらを覆うように上ケース３１が下ケース３３に係合している。
【００１６】
液晶表示パネル２は、アクティブマトリクス方式により駆動する液晶表示素子であり、図２〜図４に示すように、予め定めた間隙を設けて対向配置された一対の透明基板６，７を備えている。これら透明基板６，７間の間隙には液晶（図示省略）が封入されている。一対の透明基板６，７の互いに向き合う内面には、第一と第二の透明電極（図示省略）がそれぞれ互いに対向した状態で設けられている。第一と第二の透明電極は、電圧の印加により液晶層の液晶分子の配向状態を変化させて光の透過を制御する複数の画素をマトリクス状に形成している。また、上ケース３１と当接する観察側の透明基板７の外面には偏光板２３が貼り付けられている。他方、背面側の透明基板６の外面には偏光板２４が貼り付けられている。また、背面側の透明基板６には、観察側の透明基板７から張り出す張出部６１が形成されている。張出部６１には、上記の透明電極間に駆動電圧を印加するためのドライバ素子２５が搭載されている。また、張出部６１には、ドライバ素子２５に外部回路からの制御信号を供給するためのフレキシブル配線基板２６が接続されている。
【００１７】
次に光源装置１について説明する。
光源装置１は、液晶表示パネル２に向けて面発光するものであり、液晶表示パネル２の背後、即ち液晶表示パネル２の観察側とは反対側に配置されている。光源装置１は、図１〜図４に示すように、反射シート１１と、複数の光学シート４１，４２，４３と、遮光シート１２と、ＬＥＤユニット１５と、導光板４と、フレーム８０とを備えている。
【００１８】
反射シート１１は、導光板４の背面、即ち導光板４の下ケース３３側に対向配置され、導光板４の背面から射出される光を導光板４側へと反射するものである。
【００１９】
複数の光学シート４１，４２，４３は、導光板４の射出面上に、順に光学シート４１，４２，４３という順番で積層されている。
【００２０】
複数の光学シート４１，４２，４３のうち、導光板４から最も離れて配置された光学シート４３は、一面上に互いに平行に延びた多数のプリズムが形成されているプリズムシートであり、図５は、プリズムシートである光学シート４３の全体形状を示す上面図である。この図５に示すように、光学シート４３は、略矩形状のシート本体４３１と、シート本体４３１の四隅の周縁にそれぞれ、当該周縁に対して突出する形状で一体的に形成された４つの突出片４３２とを有する。
【００２１】
４つの突出片４３２のうち、ドライバ素子２５側の一対の突出片４３２ａ，４３２ｂは、シート本体４３１の長辺４３１ａ，４３１ｂに対して略矩形状に突出するように形成されている。この突出片４３２ａ，４３２ｂに隣接する一対の辺の角度、つまり長辺４３１ａと短辺４３１ｃとの角度α１と、長辺４３１ｂと短辺４３１ｃとの角度α２とは９０度に設定されている。
そして、突出片４３２ａは、隣接する一対の辺４３１ａ，４３１ｃのそれぞれに平行移動させたとしても、表示領域Ｇ内には進入しない位置に配置されている。また、突出片４３２ｂにおいても、隣接する一対の辺４３１ｂ，４３１ｃのそれぞれに平行移動させたとしても、表示領域Ｇ内には進入しない位置に配置されている。
【００２２】
また、４つの突出片４３２のうち、ドライバ素子２５とは反対側の一対の突出片４３２ｃ，４３２ｂは、シート本体４３１の長辺４３１ａと短辺４３１ｄとからなる角部、長辺４３１ｂと短辺４３１ｄとからなる角部のそれぞれの角部に対して、略Ｌ字状に突出するように形成されている。これにより、突出片４３２ｃ、４３２ｂは、一対の辺４３１ａ，４３１ｂ，４３１ｄの延長線上に重ならない少なくとも二つの角部を有することになる。
この突出片４３２ｃ，４３２ｄに隣接する一対の辺の角度、つまり長辺４３１ａと短辺４３１ｄとの角度α３と、長辺４３１ｂと短辺４３１ｄとの角度α４とは９０度に設定されている。
そして、突出片４３２ｃは、隣接する一対の辺４３１ｂ，４３１ｄのそれぞれに平行移動させたとしても、表示領域Ｇ内には進入しない位置に配置されている。また、突出片４３２ｄにおいても、隣接する一対の辺４３１ａ，４３１ｄのそれぞれに平行移動させたとしても、表示領域Ｇ内には進入しない位置に配置されている。
【００２３】
そして、突出片４３２ｂに隣接する一対の辺４３１ｂ，４３１ｃを延伸させて形成された交点Ｅ１および一対の辺４３１ｂ、４３１ｃに挟まれた領域を通過し、且つプリズム稜線に平行な直線Ｌ１と、一対の辺４３１ｂ，４３１ｃのそれぞれとで形成された二つの角度は４５度に設定されている。
また、突出片４３２ｄに隣接する一対の辺４３１ａ，４３１ｄを延伸させて形成された交点Ｅ２および一対の辺４３１ａ、４３１ｄに挟まれた領域を通過し、且つプリズムの稜線に平行な直線Ｌ２と一対の辺４３１ａ，４３１ｄのそれぞれとで形成された二つの角度は４５度に設定されている。
【００２４】
一方、突出片４３２ａに隣接する一対の辺４３１ａ，４３１ｃを延伸させて形成された交点Ｅ３および一対の辺４３１ａ、４３１ｃに挟まれた領域を通過し、且つプリズムの稜線に直交する直線Ｌ３と一対の辺４３１ａ，４３１ｃのそれぞれとで形成された二つの角度は４５度に設定されている。
また、突出片４３２ｃに隣接する一対の辺４３１ｂ，４３１ｄを延伸させて形成された交点Ｅ４および一対の辺４３１ｂ、４３１ｄに挟まれた領域を通過し、且つプリズムの稜線に直交する直線Ｌ４と一対の辺４３１ｂ，４３１ｄのそれぞれとで形成された二つの角度は４５度に設定されている。
【００２５】
そして、光学シート４３は、多数のプリズムの稜線の方向が、液晶表示パネル２の画素の行方向若しくは列方向に対して４５度となるように配置されている。
【００２６】
複数の光学シート４１，４２，４３のうち、光学シート４３の背面側の光学シート４２は一面上に互いに平行に延びた多数のプリズムが形成されているプリズムシートである。図６は、プリズムシートである光学シート４２の全体形状を示す上面図である。この図６に示すように、光学シート４２は、光学シート４３のシート本体４３１と略同形状のシート本体４２１と、シート本体４２１におけるドライバ素子２５側の一対の角部の周縁にそれぞれ形成された２つの突出片４２２とを有する。２つの突出片４２２は、光学シート４３の突出片４３２ａ，４３２ｂと同形状であって、光学シート４２を光学シート４３に重ねると、光学シート４２の突出片４２２は、光学シート４３の突出片４３２ａと４３２ｂとに重なるように形成されている。
この光学シート４２のプリズムの稜線の方向は、光学シート４３のプリズムの稜線とは平行でなく、例えば光学シート４３のプリズムの稜線の方向に対して直交する方向に平行となっている。
【００２７】
複数の光学シート４１，４２，４３のうち、光学シート４２の背面側、つまり導光板４の射出面上の光学シート４１は、拡散シートであり、導光板４から射出された光を拡散させて輝度を均一にするものである。図７は、拡散シートである光学シート４１の全体形状を示す上面図である。この図７に示すように、光学シート４１は、光学シート４３のシート本体４３１と略同形状のシート本体４１１と、シート本体４１１におけるドライバ素子２５側とは反対側の一対の角部の周縁にそれぞれ形成された２つの突出片４１２とを有する。２つの突出片４１２は、光学シート４３の突出片４３２ｃ，４３２ｄと同形状であって、光学シート４１を光学シート４３に重ねると、光学シート４１の突出片４１２は光学シート４３の突出片４３２ｃと、４３２ｄとに重なるように、形成されている。
【００２８】
そして、これらの光学シート４１，４２，４３によって、導光板４の射出面から射出された光を光学シート４３の射出面に対してほぼ垂直な方向に向けて射出することができるようになっている。
【００２９】
遮光シート１２は、図１，図３，図４に示すように、上面視略ロ字状に形成されていて、光学シート４３の周縁部を囲んで、光学シート４３の周縁から光が漏れることを防止するものである。遮光シート１２は、液晶表示パネル２の偏光板２４と、光学シート４３とにより挟持された状態で、フレーム８０により支持されている。
【００３０】
ＬＥＤユニット１５は、導光板４の側方に配置され、導光板４に光を供給するものである。ＬＥＤユニット１５は、フレキシブル配線基板１６と、複数のＬＥＤ１７とを有している。複数のＬＥＤ１７は、それぞれ略直方体状をした光源であり、発光面が導光板４に向くようにフレキシブル配線基板１６上に配置されている。
【００３１】
フレーム８０は、反射シート１１、導光板４、複数の光学シート４１，４２，４３及び遮光シート１２を収容している。フレーム８０には、反射シート１１、導光板４、複数の光学シート４１，４２，４３、遮光シート１２及び液晶表示パネル２の周囲を囲むフレーム本体８１と、フレーム本体８１の内周面から、反射シート１１、導光板４及び複数の光学シート４１，４２，４３の近傍まで延出する延出部８２とが形成されている。延出部８２の上面では、遮光シート１２が支持されている。また、延出部８２の上面における複数の光学シート４１，４２，４３の各突出片４１２，４２２，４３２のそれぞれに対応する位置には、これら各突出片４１２，４２２，４３２が係合する係合用凹部８２１が形成されている。係合用凹部８２１は、係合対象である突出片４１２，４２２，４３２に対応した形状に形成されている。
【００３２】
次に、本実施形態の作用について説明する。
まず、比較例として突出片が光学シートの辺の途中に形成されている光源装置を例示して説明する。図８は比較例である光源装置２００の概略構成を示す上面図である。なお、光源装置２００では、上記実施形態と同一の部分は同一符号を付してその説明を省略する。この光源装置２００では、矩形状の突出片２０１が光学シート４３の長辺４３１ａ，４３１ｂの途中位置にそれぞれ一つ、短辺４３１ｄの途中位置に所定の間隔を空けて二つ形成されている。
【００３３】
そして、光源装置２００のＬＥＤ１７が発光し、導光板４内に光が入射して反射シート１１により反射されると、反射光は複数の光学シート４１，４２，４３を通過して、液晶表示パネル２を背面側から照射する。このとき、最も導光板４から離れて配置される光学シート４３の突出片２０１を、前記光学シート４３が有するプリズムの稜線の方向（矢印Ａ１）若しくは当該方向に直交する方向（矢印Ａ２）から見た場合よりも（図中矢印Ａ３参照）辺４３１ａ，４３１ｂ，４３１ｄに直交する方向から見た場合の方が暗く見えてしまう（図中矢印Ａ４参照）。
【００３４】
一方、上記実施形態の光源装置１においても、図２に示すように、導光板４から最も離れて配置される光学シート４３の突出片４３２を、プリズムの稜線の方向（矢印Ａ１）若しくは当該方向に直交する方向（矢印Ａ２）から見た場合よりも（図中矢印Ａ３参照）、辺４３１ａ，４３１ｂ，４３１ｃ，４３１ｄに直交する方向から見た場合の方が、暗く見えてしまう（図中矢印Ａ４参照）。しかしながら、図示したように暗く見える方向（矢印Ａ４）は、各辺４３１ａ，４３１ｂ，４３１ｃ，４３１ｄに沿っているために、光源装置２００の場合と比べて、光源装置を見る角度によって光学シート上に暗く見える部分が発生してしまうことを抑制することが出来る。さらに、突出片４３２は、それぞれ隣接する一対の辺４３１ａ，４３１ｂ，４３１ｃ，４３１ｄにそれぞれ沿って平行移動させた場合に液晶表示パネル２の表示領域内Ｇに進入しない位置に配置されているので、暗く見える部分自体が表示領域Ｇ内に発生することも防止されている。
【００３５】
以上のように、導光板４から最も離れて配置される光学シート４３は、複数の突出片４３２のそれぞれに隣接する一対の辺４３１ａ，４３１ｂ，４３１ｃ，４３１ｄの角度が９０度以下に設定されており、一対の辺４３１ａ，４３１ｂ，４３１ｃ，４３１ｄを延伸させて形成された交点Ｅ１，Ｅ２，Ｅ３，Ｅ４を通過し且つプリズムの稜線に平行な直線又は直交する直線のうち、一対の辺に挟まれた領域を通る一方の直線Ｌ１，Ｌ２と一対の辺４３１ａ，４３１ｂ，４３１ｃ，４３１ｄのそれぞれとで形成された二つの角度が、複数の突出片４３２の全てに対して４５度以下に設定されているので、突出片４３２を通過し且つ突出片４３２によって他の方向よりも暗く見えやすくなる方向に平行な直線が、隣接する一対の辺４３１ａ，４３１ｂ，４３１ｃ，４３１ｄに沿っているか、または光学シート４３の外側、即ち隣接する一対の辺４３１ａ、４３１ｂ、４３１ｃ、４３１ｄに挟まれた領域外を通過する。また、少なくとも上述の平行な直線が表示領域Ｇ内を通過しないようにして、表示領域Ｇ内では暗く見える部分を見え難くすることができる。従って、光源装置を見る角度によって光学シート上に暗く見える部分が発生してしまうことを抑制することができる。
【００３６】
また、上記実施形態では、前記二つの角度が一対の辺４３１ａと４３１ｃとからなる角度、一対の辺４３１ａと４３１ｄとからなる角度、一対の辺４３１ｂと４３１ｄとからなる角度、及び一対の辺４３１ｂと４３１ｃとからなる角度の半分の角度となるように光学シート４３にプリズムが配置されているので、他の方向よりも暗く見えやすくなる方向を極力一対の辺４３１ａ，４３１ｂ，４３１ｃ，４３１ｄに沿わせることが可能となる。
また、光学シート４３が略矩形状であり、プリズムは前記二つの角度が４５度となるように配置されているので、略矩形状の光学シート４３において他の方向よりも暗く見えやすくなる方向を各一対の辺４３１ａ、４３１ｂ、４３１ｃ、４３１ｄに沿わせることが可能となる。
【００３７】
また、突出片４３２は、光学シート４３の角部にのみ形成されているので、突出片４３２の設置個数を抑えることができる。設置個数が少なければ、温度変化により光学シート４３自体が反ったとしても、その反りが突出片４３２によって規制されにくくなり、反りを逃がすことができる。
そして、液晶表示パネル２は画素がマトリクス状に配置されており、そのマトリクス状に配置された画素が配列する方向である、行方向若しくは列方向に対して、プリズムの稜線の方向が４５度となるように光学シート４３が配置されているので、モアレの発生を防止することができる。
【００３８】
なお、本発明は上記実施形態に限らず適宜変更可能である。
例えば、上記実施形態では、光学シート４３の角部の全てに突出片４３２が設けられている場合を例示して説明しているが、突出片４３２は、光学シート４３の一つの対角線上に配置された一対の角部のそれぞれにのみ形成されていてもよい。つまり、図５の光学シート４３であれば、形成された突出片は突出片４３２ａ，４３２ｃの組み合わせか、突出片４３２ｂ，４３２ｄの組み合わせのみということである。突出片４３２が、光学シート４３の一つの対角線上に配置された一対の角部のそれぞれにのみ形成されていれば、光学シート４３の位置決めを確実に行うことができる。
また、この場合においては、突出片４３２の設置個数をより少なくすることができるので温度変化により光学シート４３自体が反ったとしても、その反りが突出片４３２によって規制されにくくなり、反りを逃がすことができる。
【００３９】
また、図９に示す光学シート４３Ａのように、当該光学シート４３Ａの一辺（例えば長辺４３１ｂ）にのみ突出片４３２が形成されていてもよい。この場合においても、突出片４３２の設置個数をより少なくすることができるので温度変化により光学シート４３Ａ自体が反ったとしても、その反りが突出片４３２によって規制されにくくなり、反りを逃がすことができる。
なお、単に光源装置を見る角度によって光学シート上に暗く見える部分が発生してしまうことを抑制したいのであれば、突出片４３２は光学シート４３に対して少なくとも一つだけ形成されていればよい。
【符号の説明】
【００４０】
１      光源装置
２      液晶表示パネル
３      ケース
４      導光板
１１      反射シート
１２      遮光シート
１５      ＬＥＤユニット
４１      光学シート（プリズムシート）
４２      光学シート
４３      光学シート
８０      フレーム
８１      フレーム本体
８２      延出部
１００      表示装置
４３１      シート本体
４３１ａ    長辺
４３１ｂ    長辺
４３１ｃ    短辺
４３１ｄ    短辺
４３２      突出片
８２１      係合用凹部
Ｇ      表示領域
【図１】
2011138710.tif 000003
【図２】
2011138710.tif 000004
【図３】
2011138710.tif 000005
【図４】
2011138710.tif 000006
【図５】
2011138710.tif 000007
【図６】
2011138710.tif 000008
【図７】
2011138710.tif 000009
【図８】
2011138710.tif 000010
【図９】
2011138710.tif 000011